Podtech/llm-jp-corpus-v4-ja_patent huggingface dataset:
(57)【要約】【課題】  缶ジュースや缶詰め等の中身を飲食するために、プルトップを開封するときに指先を使うが、痛みを感じたり、缶とプルトップの間に指が入らず開けられないことがある。又、爪の長い女性などもプルトップに指をかけることができない、という欠点があった。本考案は、以上の欠点を解決することを目的とする。【解決手段】  ・プルトップの後端（１）を、約９０度に折り曲げ、缶のふち（２）とプルトップの後端（１）の距離を長くする。  ・プルトップの後端（１）を、折り曲げる高さは、缶のふち（２）の高さに合わせる。【選択図】図１
0003124976.tif 000002
【実用新案登録請求の範囲】
（イ）プルトップの後端（１）を、約９０度に折り曲げ、缶のふちに（２）とプルトップの後端（１）の距離を長くする。
（ロ）プルトップの後端（１）を、折り曲げる高さは、缶のふち（２）の高さに合わせる。
以上のごとく構成した角度の付いたプルトップ
【考案の詳細な説明】
【考案の詳細な説明】
【産業上の利用分野】
この考案は、缶ジュースや缶詰等のプルトップに関するものである。
【背景技術】  従来より、缶ジュースや缶詰を開封するために付いていた。
【考案が解決しようとする課題】
缶ジュースや缶詰等の中身を飲食するために、プルトップを開封するときに指先を使うが、痛みを感じたり、缶とプルトップの間に指が入らず開けられないことがある。又、爪の長い女性などもプルトップに指をかけることができないという欠点があった。
本考案は、以上の欠点を解決することを目的とする。
【課題を解決するための手段】
（イ）プルトップの後端（１）を、約９０度に折り曲げ、缶のふち（２）とプルトップの後端（１）の距離を長くする。
（ロ）プルトップの後端（１）を、折り曲げる高さは、缶のふち（２）の高さに合わせる。
本考案は以上の構成である。
【作用】
プルトップの後側に指を入れ、上に押し上げるか引き上げると開封できる。
【実施例】  以下、図について説明する。
（イ）プルトップの後端（１）を約９０度に折り曲げ、缶のふち（２）の高さと合わせる。
（ロ）プルトップの後端（１）を折り曲げることによって、缶のふち（２）とプルトップ後端（１）の距離を長くする。
以上が本考案の構成であるが、プルトップ後端（１）と缶のふち（２）の距離を長くすることと、プルトップ後端（１）と缶の上面（３）の距離を長くすることで指先を入れやすくすることができ、開封が簡単になる。
【考案の効果】
本考案は、プルトップの付いた缶等の開封が簡単になり、また、指や瓜を傷めることがない。
【図面の簡単な説明】
【図１】第１図は本考案の横視図、
【図２】第２図は本考案の上視図、
【図３】第３図は本考案の実施例を示す横視図。  （１）はプルトップ後端、（２）は缶のふち、（３）は缶の上面。
【図１】
0003124976.tif 000003
【図２】
0003124976.tif 000004
【図３】
0003124976.tif 000005
(57)【要約】【課題】  バチカン（ネックレスを通す金具）の小さなペンダントは、その大きさ以上のネックレスへの装着が出来出来なかった。【解決手段】  本考案はペンダント及びネックレスへの装着金具を一体化する事により、５を開閉する事により６も開閉及び固定され、しかもワンタッチ装着を可能にする。【選択図】図１
0003124975.tif 000002
【実用新案登録請求の範囲】
【請求項１】
天然石の丸球ネックレスに、特殊金具を取付ける事により、パールや丸球のネックレス、留め金具の大きいタイプに取付け出来なかったペンダントトップを簡単に装着出来るようにした金具。
【考案の詳細な説明】
【技術分野】
【０００１】  本考案は、ペンダント金具の小さい物を、太いネックレスや大きい留め金具のネックレスに装着する為の留め金具（クラスプ）に関するものである。
【背景技術】
【０００２】  パールや丸球のネックレス、留め金具の大きいネックレスに対して、ペンダントのバチカン（ネックレスを通す金具）が小さく、そのネックレス専用のペンダントしか取付ける事が出来なかった。
【考案の開示】
【考案が解決しようとする課題】
【０００３】  バチカン（ネックレスを通す金具）が小さい為に、パールや丸球のネックレス及び留め金具の大きいネックレスには取付けが不可能だった現状を解決し、しかも取り外しをワンタッチで容易にしようとするものである。
【課題を解決するための手段】
【０００４】  本考案は小さいバチカン（ネックレスを通す金具）を通す金具と丸玉ネックレスに取付ける金具を一体化する事により、パールや丸玉ネックレス、留め金具の大きいネックレスへの装着及び脱着の簡素化を可能にしている。
【考案の効果】
【０００５】  上述のように、本考案のクラスプは物理上直接取付けが不可能なペンダントの小さなバチカン（ネックレスを通す金具）でも取付ける事ができる上、しかも脱着がワンタッチの為、容易として役立つ。
【考案を実施するための最良の形態】
【０００６】  このクラスプの開閉式の部分を外し、下のハンガー状の部分にペンダントを通し、上部のネックレス取付け用金具部をネックレスにはさみ、閉じる事によりペンダント取付け部のハンガー形状の部分も固定され、装着が可能となる。
【実施例】
【０００７】  以下、添付図面に従って説明します。１、本体と本体を繋ぐ蝶番でここを中心に上部、下部共に同時に開閉する。２、開閉時に指をかけるフックで開閉動作を容易にする。３、閉じた時に固定する部分でクラスプとして機能する。４、ペンダントを下げるハンガー状部で小さなバチカン（ネックレスを通す金具）でも取付ける事ができる。５、玉と玉の間に入り留めた位置に固定される。６、５と一体化して、５を開閉する事によりここも開閉、及び固定され、しかもワンタッチ装着を可能にする。
【図面の簡単な説明】
【０００８】
【図１】  本考案のクラスプの使用例。
【符号の説明】
【０００９】１  本体と本体を繋ぐ蝶番
２  開閉時に指をかけるフック
３  閉じた時に固定する部分
４  ペンダントを下げるハンガー状部
５  玉と玉の間に入り固定。
６  ５と一体化して開閉。
【図１】
0003124975.tif 000003
【手続補正書】
【提出日】平成18年6月8日(2006.6.8)
【手続補正１】
【補正対象書類名】実用新案登録請求の範囲
【補正対象項目名】全文
【補正方法】変更
【補正の内容】
【実用新案登録請求の範囲】
【請求項１】
パールや天然石の丸球ネックレスを取付けるパーツと、ペンダントを下げられるパーツを一体化して取り付け、同時に両方のパーツが開閉する事を特徴とする、直接取付不可能なペンダントを取付けられるようにした金具。
(57)【要約】      （修正有）【課題】世界保健機関（ＷＨＯ）でも感染症による拡大が懸念されている昨今では、それでも増加傾向にある。このため、避妊具として利用するコンドーム、性感染症予防で利用するコンドームにさらに付加価値を付け、利用者に使用頻度を高め、世界的見地からみても懸念されている感染症を防止するため利用者の拡充を図る。【解決手段】精子溜袋３をジャンケン形または、創作形キャラクター、著名人物の顔などを使用した現円形状以外の創作形により利用者の避妊や性感染症による意識高揚を高める。【選択図】図１
0003124979.tif 000002
【実用新案登録請求の範囲】
【請求項１】
コンドームの先端部にある精子溜袋部をジャンケン形状及び創作形状のキャラクターとしたことを特徴とするコンドーム。
【請求項２】
前記ジャンケン形状は、グー形チョキ形パー形であることを特徴とする請求項１記載のコンドーム。
【請求項３】
前記創作形状のキャラクターは、アニメーションや著名人物の顔であることを特徴とする請求項１記載のコンドーム
【考案の詳細な説明】
【技術分野】
【０００１】  この発明は、避妊具であるコンドームの形状に関する。
【背景技術】
【０００２】  従来の避妊具であるコンドームの形状は図で示すようにコンドーム先端部にある精子溜袋部が円状となって設けられたものである。
【考案の開示】
【考案が解決しようとする課題】
【０００３】しかしながら、以上の技術によれば、コンドーム先端部にある精子溜袋として利用されている。避妊具としてコンドームを利用される方、感染による予防のための利用。
そこで、この発明は、現在まで利用されているコンドームに付加価値を付け、先端部にある精子溜袋をジャンケン形や創作型キャラクターを使用した、現円状以外の形状とし、利用者の拡充を図り、提供することを課題とする。
【課題を解決するための手段】
【０００４】  以上の課題を解決するために、第一発明は、精子溜袋をジャンケンの種類であるグー形チョキ形パー形の形状を特徴とするコンドームである。
また、第二発明は、創作形状のキャラクターや著名人物の顔であることを特徴とするコンドームである。
【考案の効果】
【０００５】  第一発明、または第二発明によれば、利用者の嗜好頻度を高め、利用者の興味本位を高め、市場占有率から鑑みて現在問題視とされている感染症防止において、貢献できるものと推察できる。
【考案を実施するための最良の形態】
【０００６】  この発明の一実施形態を、図１に示す。
コンドーム本体は伸縮ゴムであり、男性にある性器（ペニス）に密着させ、先端部にある突起が精子溜袋としてジャンケン形及び創作型キャラクターを使用した現円形状以外の創作形状となって設けられている。【０００７】「実施形態の効果」
この実施形態によれば、ジャンケン形であるグー形、チョキ形、パー形としたことによる利用者増大が推測できる。【０００８】「他の実施形態」
図１の実施形態では、ジャンケン形であるグー形、チョキ形、パー形であったが他の実施形態では、創作型キャラクターや著名人の顔でも良い。
【図面の簡単な説明】
【０００９】
【図１】この発明の一実施形態を示す斜視図である。
【図２】従来技術を示す斜視図である。
【符号の説明】
【００１０】      １  根元の締め付けゴム            ２  性器（ペニス）密着部
３  ジャンケンチョキ型（精子溜袋）
【図１】
0003124979.tif 000003
【図２】
0003124979.tif 000004
(57)【要約】【課題】  片手のみで使用することの出来るディスペンサーを提供すること。【解決手段】  親指の腹部分でヘッド（４）を押さえる一方、液状内容物通過パイプ形状部（３）の途中に予め設けられた親指以外の指の背の部分で押さえる部位（１）を該残りの指の背部分で押さえる事により、片手の動作のみで液状内容物を出す事を特徴とする。【選択図】図１
0003124974.tif 000002
【実用新案登録請求の範囲】
【請求項１】
親指の腹部分でヘッド（４）を押さえる一方、液状内容物通過パイプ形状部（３）の途中に予め設けられた親指以外の指の背の部分で押さえる部位（１）を該残りの指の背部分で押さえる事により、片手の動作のみで液状内容物を出す事を特徴とする片手用ディスペンサー（９）。
【考案の詳細な説明】
【技術分野】
【０００１】  本考案は、片手で操作出来る片手用ディスペンサーに関する。
【背景技術】
【０００２】  従来のシャンプー等の液状物を出すディスペンサーは、片方の手のひらでヘッド部を押し、もう片方の手のひらでシャンプー等を受け止めるという両手での動作から成り立っている。
【考案の開示】
【考案が解決しようとする課題】
【０００３】  例えば、シャンプー用のディスペンサーで説明すると、入浴時等にシャンプーを使用する場合、シャンプー用のディスペンサーのヘッド部を例えば右手のひらで押し、左手のひらに内容物であるシャンプーを受け止めるという動作でシャンプーを出している。
しかしながら、片方の手でシャワーヘッドを握り締めていたり、子供を支えていたりと片方の手が塞がっている場合が多々ある。
また、理髪店や美容院等で洗髪する場合、客の髪の毛をシャワーで濡らした後、一旦、客の頭をヘッドレストに戻してから、先に述べたように両手でシャンプーを出さねばならず、場合によっては止めていたシャワーを再度出して洗髪しなければならないため、シャワーが冷めていたり、時間がかかったりという問題点があった。
本考案の目的は、これら従来の課題を解決し、片手の動作でシャンプー等の液状内容物を出して、そのまま片手で受け止める事が出来る片手用ディスペンサーを提供することにある。
【課題を解決するための手段】
【０００４】  上記課題を解決するために本考案は、親指の腹部分でヘッド（４）を押さえる一方、液状内容物通過パイプ形状部（３）の途中に予め設けられた親指以外の指の背の部分で押さえる部位（１）を該残りの指の背部分で押さえる事により、片手の動作のみで液状内容物を出す。
本考案は以上のような構成からなる片手用ディスペンサーである。
【考案の効果】
【０００５】  本考案の片手用ディスペンサーは、以上のような構成であるため、片方の手がシャワーヘッドを握っていたりして塞がっていても、もう一方の片手の親指の腹部分でヘッド部を押さえる一方、液状内容物通過パイプ形状部の途中に予め設けられた親指以外の指の背の部分で押さえる部位があるため、ここを該残りの指の背部分で押さえて、片手の動作だけで液状内容物を出す事の出来る優れたものとなる。
【考案を実施するための最良の形態】
【０００６】  本考案における片手用ディスペンサーの形状、大きさ、デザイン、構造、厚み、材質、製造方法等は特に限定されることはない。又、指の背の部分で押さえる部位の大きさ、厚み、長さ、形状等も限定される事はないが、通常は液状内容物通過パイプ形状部と一体成形されると製造コストも安くあがる。もちろん、該指の背の部分で押さえる部位を液状内容物通過パイプ形状部に挟み込む手段等で、後付けで出来るようにしておけば、従来のディスペンサーにも該指の背の部分で押さえる部位だけを取り付けて使用出来る優れたものとなる。
【実施例】
【０００７】  以下、本考案の実施例を図１及び図２で説明するが、これによって本考案は限定されるものではない。
図１は本考案の一例を斜視方向から見たものである。
図２は図１のものを、実際、左手で使用している状態を示しており、ヘッド部（４）を親指の腹で押さえる一方、親指以外の指の背の部分で押さえる部位（１）を左手の中指と薬指の背部分で押さえる事により、片手の動作のみで液状内容物出口（５）から液状内容物容器本体（２）にある液状内容物を出しているのであるが、この親指以外の指の背の部分で押さえる部位（１）が予め設けられていることにより、ヘッド部と親指以外の該指の背の部分で押さえる部位（１）の間の指が入るスペース（６）にある液状内容物通過パイプ形状部（３）を中指と薬指で挟み込み込んで片手でディスペンサーを押し下げ、液状内容物を出すのに必要なストローク（７）が容器本体上ブタ（８）まで下がるという動作が出来るようになるのである。
【産業上の利用可能性】
【０００８】  シャンプー等のディスペンサーを片手のみで使用する事の出来る、使いやすいものとする。
【図面の簡単な説明】
【０００９】
【図１】本考案の１実施例を示す斜視図である。
【図２】本考案の１実施例を示す斜視図である。
【符号の説明】
１  指の背の部分で押さえる部位    ２  液状内容物容器本体
３  液状内容物通過パイプ形状部    ４  ヘッド部    ５  液状内容物出口
６  指が入るスペース    ７  液状内容物を出すのに必要なストローク
８  容器本体上ブタ      ９  片手用ディスペンサー
【図１】
0003124974.tif 000003
【図２】
0003124974.tif 000004
【手続補正書】
【提出日】平成18年5月29日(2006.5.29)
【手続補正１】
【補正対象書類名】実用新案登録請求の範囲
【補正対象項目名】全文
【補正方法】変更
【補正の内容】
【実用新案登録請求の範囲】
【請求項１】
液状内容物容器本体（２）にある液状内容物を出すのに必要なストローク（７）を押し下げる動作により、液状内容物が液状内容物通過パイプ形状部（３）、ヘッド部（４）、液状内容物出口（５）を通過し、手のひらに出て受け止めるディスペンサーにおいて、片方の手の親指の腹をヘッド部（４）の上面に乗せると同時に、該ヘッド部（４）の下面と容器本体上ブタ（８）の上面の間の液状内容物通過パイプ形状部（３）の途中に予め設けられた親指以外の指の背の部分で押さえる部位（１）の上面と、該ヘッド部（４）の下面の間の指が入るスペース（６）に、上向きにした中指と薬指又は人差し指と中指とで液状内容物通過パイプ形状部（３）を挟み込んだ後、該中指と薬指又は人差し指と中指の背を用いて、これらの指の背の部分で押さえる部位（１）の上面と、先の親指の腹でヘッド部（４）の上面とを同時に押し下げる事により、液状内容物を出すのに必要なストローク（７）を押し下げ、片手の動作のみで液状内容物を出す事を特徴とする片手用ディスペンサー。
(57)【要約】【課題】  老若男女を問わず、極めて容易にポールに固定器具を固定でき、且つ強固に固定状態は保持されポール本体に傷を付けない器具を提供するものである。【解決手段】  レバー７を回転させる事で円筒部６と円筒部５の段差分移動が発生し本体部２の平面部を締付ける事により本体部２の円筒箇所が小径になることで固定する事を特徴とするものである。【選択図】図１
0003124973.tif 000002
【実用新案登録請求の範囲】
【請求項１】
上下所望の箇所に固定可能な高跳び用バー固定器具で、非締付時では上下自在に動き、締付時はレバー７を押し下げる若しくは押し上げることによりレバー７に固定されている円筒部６が回転し、円筒部５との段差分移動が発生し本体部２の平面部を締め付ける事で本体部２の円筒箇所が小径になることでポール１を締め付ける事により固定され、本体部２の締付の反動が円筒部５から円筒部６側へ係るがナイロンナット９の強固な緩み防止機能により強固な固定は保持される事が特徴となる。
【請求項２】
バトミントン等のネット使用競技についても、円柱形状のポールに請求項１の記載通りに本体部２が固定される事が特徴となる。
【考案の詳細な説明】
【技術分野】
【０００１】  本考案は、走り高跳び、及び棒高跳び等のバーの位置を所望の高さに固定する器具で、またバドミントン等をはじめとする各種競技用ネットをポールに張設する際の固定器具に関するものである。
【背景技術】
【０００２】  従来の走り高跳びのバー固定方法はポールに記載されている目盛りに合わせて、所望の高さに固定器具を合わせ固定するものであるが、螺子の先端部をポールに圧着させ固定器具を固定するもの、又は固定器具に貫通されているボルトを締め付ける事により固定器具を固定するもの、又はポール自体と固定器具に最初から溝が掘られており、ポールと固定器具の互いの溝を噛み合わせる事により固定させる等の方法がある。【０００３】  またバトミントン等を含む各種競技用ネットの張設方法は反対側ポールにネットを引っ張った状態で螺子及び歯車による巻き付けにて固定する方法であるが、螺子の先端部をポールに圧着させ固定器具を固定するもの、ネットの紐を巻き付け歯車をハンドルによって回転させ巻き付けるもの等がある。
【考案の開示】
【考案が解決しようとする課題】
【０００４】  従来からの螺子固定式等に見られる螺子先端部をポールに圧着させることはポールに傷を付け、錆及び劣化によりポールの寿命を短くする原因となり、また螺子固定方式では固定するまでに螺子を締め付ける為、動作が多くなり指先の力も必要となる。【０００５】  また競技用ネット等の張設では螺子での固定は反対側ポールにネットを掛けて固定側ポールにネットを引っ張った状態での螺子固定で、力を必要とする固定方式となり女性、子供等の力の弱い使用者では固定の際、ネットに必要な張力が係りにくい傾向にある。
【課題を解決するための手段】
【０００６】  本考案の高跳びバー固定器具及びネット固定器具は、上記の課題を解決する為、従来からの方式である螺子による固定方式でなく円筒丸穴付部品の中央部に円弧状に切り込みを入れたものを利用し、それを対に使用しレバーを押し下げるか、押し上げることにより固定する方式である。【０００７】  且つ固定箇所の本体部に円筒形状を用いる事により荷重がポールに分散され、より強固な固定が可能になると共にポールに傷を付けることなく固定することが特徴となる。
【考案の効果】
【０００８】  本考案はレバーを回すのみで固定されるため、従来からの螺子固定式に比べ固定が容易であり女性、子供等、力の弱い者でも強固な固定が可能になり、且つ荷重が分散されておるため、ポール自体に傷を付けない方式になっている。また高跳び競技中の器具の緩み等から発生する誤動作等は強固に固定されている為、防止するのに有効である。【０００９】  また、バトミントン等の各種競技用ネットの固定についても固定させる動作が容易の為、女性、子供等の力の弱い者が固定する際にも有効であり強固に固定される為、競技中ネットにボール、ラケット等が接触しても強固な固定は保持されるため競技中断等の防止に有効である。
【考案を実施するための最良の形態】
【００１０】本考案の実施形態を、図面を参照して説明する。【００１１】  図１は本考案が実際にポールに固定されている状態を示し、図２はポールへの固定は解除され上下自在に動く状態を示している。【００１２】  図２から図１に示す様にレバー７を押し下げた場合にレバー７に固定されている円筒部６が一緒に回転し、円筒部５との段差分だけ本体部２の平面部を締め付ける事により本体部２の円筒部が小径になることにより、ポール１に固定される。【００１３】  この時、本体部２を締め付けた反動が円筒部５から円筒部６方向へ係るがナイロンナット９の強固な緩み防止機能により、強固な固定は保持される。
【図面の簡単な説明】
【図１】本考案の固定状態を表す斜視図
【図２】本考案の非固定状態を表す斜視図
【図３】本考案の平面図
【図４】本考案のＡ−Ａを表す断面図
【図５】本考案の使用例を示した図
【符号の説明】
１    ポール
２    本体部
３    台座
４    支片部
５    円筒部
６    円筒部
７    レバー
８    ボルト
９    ナイロンナット
１０  バー
１１  本体
【図１】
0003124973.tif 000003
【図２】
0003124973.tif 000004
【図３】
0003124973.tif 000005
【図４】
0003124973.tif 000006
【図５】
0003124973.tif 000007
【手続補正書】
【提出日】平成18年6月7日(2006.6.7)
【手続補正１】
【補正対象書類名】実用新案登録請求の範囲
【補正対象項目名】全文
【補正方法】変更
【補正の内容】
【実用新案登録請求の範囲】
【請求項１】
上下所望箇所に固定可能な走高跳びに使用されるバーを固定する固定器具で、非締付時では上下自在に動き、締付時はレバー７を押し下げる若しくは押し上げることによりレバー７に固定されている円筒部６が回転し、円筒部５との段差分移動が発生し本体部２の平面部を締め付ける事で本体部２の円筒箇所が小径になることでポール１を締め付ける事により固定され、本体部２の締付の反動が円筒部５から円筒部６側へ係るがナイロンナット９の強固な緩み防止機能により強固な固定が保持される事が特徴となる高跳び用バー固定器具。
【請求項２】
バトミントン等のネットを使用する競技において、使用されるネットを張設する固定器具で非締付時では上下自在に動き、締付時はレバー７を押し下げる若しくは押し上げることによりレバー７に固定されている円筒部６が回転し、円筒部５との段差分移動が発生し本体部２の平面部を締め付ける事で本体部２の円筒箇所が小径になることでポール１を締め付ける事により固定され、本体部２の締付の反動が円筒部５から円筒部６側へ係るがナイロンナット９の強固な緩み防止機能により強固な固定が保持される事が特徴となるネット固定器具。
(57)【要約】      （修正有）【課題】完全に固定する入歯を実現する。【解決手段】本考案は歯茎に埋め込まれた金属器具で先端の台座に入歯を定着させる。【選択図】図２
0003124972.tif 000002
【実用新案登録請求の範囲】
【請求項１】
本考案は、入歯を固定する事を目的とした金属で、入歯を固定する台座と先端に小さな玉を付けた細い金属棒から構成され、その小さな玉を埋め込む事により上部の台座に入歯を固定させるのを特徴とする器具。
【考案の詳細な説明】
【技術分野】
【０００１】本考案は、歯に埋め込む金属である。
【考案の開示】
【考案が解決しようとする課題】
【０００２】従来の入歯は歯茎が痩せてくると、入歯が安定せずぐらつき不安定である。
【課題を解決するための手段】
【０００３】本考案は、金属器具を歯茎に埋め込むものである。
【考案の効果】
【０００４】歯茎に埋め込まれた金属の上部の台座に入歯を固定させることで、長期に入歯を取り替える必要がない。
【考案を実施する為の最良の形態】
【０００５】歯医者の技術分野であるが、台座が歯茎の上部に精密に設定されることである。
【実施例】
【０００６】以下添付図面に従って説明する。１は入歯を固定する台座。２は台座が抜けないようにする玉。３は歯茎。４は入歯。
【産業上の利用可能性】
【０００７】不安定な入歯で食事に困っている人に完全な固定入歯を提供する。
【図面の簡単な説明】
【０００８】
【図１】入歯固定器具が歯茎に埋め込まれた形態を示す。
【図２】入歯を装着する要領を示す。
【符号の説明】
１  台座
２  玉
３  歯茎
４  入歯
【図１】
0003124972.tif 000003
【図２】
0003124972.tif 000004
(57)【要約】【課題】  棺を封印するための封棺帯を提供するものである。【解決手段】  棺２の蓋３を外架する帯１であって、該帯１は長方形の生地の両端に止め具９，９を付設した封棺帯１を構成するものである。【選択図】図１
0003124947.tif 000002
【実用新案登録請求の範囲】
【請求項１】
棺の蓋を外架する帯であって、該帯は長方形の生地の両端に止め具を付設したことを特徴とする封棺帯。
【請求項２】
前記生地は、金蘭織物・ゴブラン織物等のジャガ−ド織、またはレ−ス刺繍、印捺プリントである請求項１記載の封棺帯。
【請求項３】
前記生地の両端を、三角形に形成した請求項１または請求項２記載の封棺帯。
【請求項４】
前記止め具は、ピンまたは両面接着テ−プである請求項１記載の封棺帯。
【請求項５】
前記生地は、裏地に白生地を使い、該白生地に寄せ書きしうるようにしてなる請求項１ないし請求項３のいずれか１つに記載の封棺帯。
【請求項６】
前記生地は、表地に中央には大輪ぼたん、両端には菊結びの組紐柄を配してなる請求項１ないし請求項３、請求項５のいずれか１つに記載の封棺帯。
【考案の詳細な説明】
【技術分野】
【０００１】
本考案は棺を封印するための帯に関するものである。
【背景技術】
【０００２】
わが国に於いて、古来「葬儀」の最終過程で出棺の折りに、故人との惜別の区切りをつける儀式として、「釘打ちの儀」と称して、棺の蓋を閉じ「釘打ち」を行なっている。しかし「釘打ち」の行為は心情的にあまりにも残酷さがあり、遺族の悲しみを増幅させる嫌いがある。
【０００３】
この「釘打ち」に変わって「紐結び」にしても、やはり「故人を紐でくくる」というイメ−ジが強く、しかも、紐は棺に一巡させる手間と、専門家以外は結ぶことができず、遺族の惜別の区切りができず、また、高価なものとなっいる。
【０００４】
棺の帯としては、特許文献１の先行技術がある。但し、特許文献１は、棺桶の底に掛ける出棺バンドであって、封棺帯ではない。
【０００５】
【特許文献１】特開２００５−１０２９０７号公報
【０００６】
棺桶の蓋の上に掛けるカバーは、従来から用いられている。しかし、このカバーは、棺桶全体を被覆するもので、封棺帯ではない。本考案でいう封棺帯とは、長さは８０〜１５０ｃｍであるが、幅が１５〜５０ｃｍ程度の帯状の長方形のものを対象にしている。
【考案の開示】
【考案が解決しようとする課題】
【０００７】
上記の事情に鑑み、本考案は、棺を封印するための封棺帯を提供することを課題とする。
【課題を解決するための手段】
【０００８】
本考案は、上記課題を達成するために、棺の蓋を外架する帯であって、該帯は長方形の生地の両端に止め具を付設した封棺帯を構成するものである。
【考案の効果】
【０００９】
本考案の封棺帯を用いれば、従来の釘打ちから開放される。
【００１０】
本考案の封棺帯は、棺の封印を簡単な止め具によって着脱自在に行なうことができる。
【００１１】
本考案の封棺帯は、安価でありながら、仏心を感じ、荘厳さを奏するものとすることができる。
【考案を実施するための最良の形態】
【００１２】
以下、本考案の実施形態を図に基づいて詳しく説明する。
【実施例１】
【００１３】
図１は、本考案の封棺帯を取り付けた棺の一実施例を示す斜視図、図２は、本考案の封棺帯の一実施例を示す正面図、図３は、本考案の封棺帯の一実施例を示す裏面図、図４は、本考案の封棺帯に用いられる止め具の使用状態の一実施例を示す斜視図、図５は、本考案の封棺帯に用いられる止め具の他の実施例を示す封棺帯の裏面図である。
【００１４】
本考案の封棺帯１は、棺２の蓋３を外架する帯で、棺のサイズに合わせてＳ，Ｍ，Ｌ，ＬＬの規格があるが、横幅１５〜５０ｃｍ、長さ８０〜１５０ｃｍ程度の長方形のものからなっている。封棺帯１は、両端を三角形の山形に尖らせ、装飾房４，４を垂らしている。
【００１５】
封棺帯１の生地５は、異なる２枚の生地が表と裏に袋状に縫い合わされている。本実施例の表生地６は、金蘭織物のジャガード織で、中央には大輪ぼたん１０、両端には菊結び１１の組紐柄の入った豪華なものとなっている。この表生地６は、ゴブラン織物等のジャガード織や、レース刺繍や、印捺プリントにすることもできる。また、組紐柄の入っていないシンプルなものにすることもできる。
裏生地７は、白生地を使用し、本実施例の場合には、中央部分に「ありがとう」の文字８がプリントされており、その周囲に「寄せ書き」しうるようになっている。この「寄せ書き」を行なうことにより、故人との「分かれの区切り」と「平穏な旅立ちの願い」や「感謝の気持ち」をより強く意思表示することができる。
【００１６】
生地５の両端には、止め具９，９を付設している。本実施例の場合には、表生地６と裏生地７の間に画鋲を入れており、裏生地７側に画鋲のピン９ａ，９ａが突出し、ビニ−ル円筒状の安全カバ−９ｂ，９ｂを取り付けており、出棺時にカバ−９ｂ，９ｂを取り外して棺の側面にピン９ａ，９ａを突き刺して固定する。
【実施例２】
【００１７】
図５は、本考案の封棺帯に用いられる止め具の他の例を示す封棺帯の裏面図である。
【００１８】
本実施例の止め具１９，１９は両面接着テ−プで、裏生地１７の両端に貼着されている。使用時に、剥離紙を剥がして、棺の側面に接着するものである。
【産業上の利用可能性】
【００１９】
本考案の封棺帯は、従来の「釘打ち」に変わって、広範囲に利用しうるものである。
【図面の簡単な説明】
【００２０】
【図１】本考案の封棺帯を取り付けた棺の一実施例を示す斜視図である。
【図２】本考案の封棺帯の一実施例を示す表面図である。
【図３】本考案の封棺帯の一実施例を示す裏面図である。
【図４】本考案の封棺帯に用いられる止め具の使用状態の一実施例を示す斜視図である。
【図５】本考案の封棺帯に用いられる止め具の他の実施例を示す封棺帯の裏面図である。
【符号の説明】
【００２１】
１            封棺帯
２            棺
３            棺の蓋
４            装飾房
５            生地
６            表生地
７ 
１７      裏生地
８            裏生地中央部分の文字
９ 
１９      止め具
１０  １１    金蘭織物の組紐柄
【図１】
0003124947.tif 000003
【図２】
0003124947.tif 000004
【図３】
0003124947.tif 000005
【図４】
0003124947.tif 000006
【図５】
0003124947.tif 000007
(57)【要約】      （修正有）【課題】収束と固定の解除が容易で繰り返し使用できるようにする。【解決手段】  収束する帯状の物の素材と形状を変更、固定する部分を分離して素材も変形し難い硬質素材のものにする事で固定が強くなった。【選択図】図１
0003124905.tif 000002
【実用新案登録請求の範囲】
【請求項１】
伸縮性のある帯状の物のと、その帯状の物を固定するホルダーの2つの部品に別れ、帯状の部品は先端部がホルダーにある2本の穴を容易に通るテーパー部とベルト部、帯状の物とホルダーを固定するアンカー部から成り、ホルダー部には帯のベルト部の直径及び、対角線の最大値より小さな2本の穴が開き、張力を加えた状態のみベルト部が2本の穴を通過できる事で物を束ねる器具である。
【考案の詳細な説明】
【技術分野】
【０００１】
本考案は、伸縮性のある帯状の部品と、それを固定するためのホルダー部により物を収束固定する器具に関するものである。
【背景技術】
【０００２】
伸縮性のある帯状のものに、引く力を加える事によって帯状の物の太さが変化する性質を利用して物を固定する。
【考案の開示】
【考案が解決しようとする課題】
【０００３】
収束と固定の解除が容易で繰り返し使用できる事。
【課題を解決するための手段】
【０００４】
本品は、収束する帯状の物に張力を加えた状態では、帯の太さが細く変化します。この細くなった状態にしか通過できない径の穴で、張力を止めることで帯の太さが元に戻り通過できなくなる。又今度は、張力を逆方向に加える事で固定の解除が可能になる。
【考案の効果】
【０００５】
収束する帯状の素材には伸縮性があることにより収束された物に負担が少なく、収束帯も繰り返し使用できる。又、帯とホルダーの2つに分離したことで伸縮帯の長さを変更することで利用範囲も多くなる。
【考案を実施するための最良の形態】
【０００６】
収束帯は、伸縮性のある素材で、先端部は帯を固定させるホルダー部のアンカー穴と調整穴が容易に通過できるようにテーパー状になり収束用のベルト部ホルダーと帯をロックするアンカー部から構成される。帯を固定させるホルダー部は、2本の同じ径の穴がある硬質の材質で他の力により、径の変化が無いので束ねる物の固定が強くできる。
【実施例】
【０００７】
収束帯のテーパー部1を、ホルダー4にあるホルダーアンカー部5より挿入して収束帯のアンカー部3がホルダーアンカー部5に当たるまで収束帯を強く引くことでホルダーと収束帯の連結固定が終了します。次に固定したい物の周りに収束帯ベルト部を回し収束帯テーパー部をホルダー4のベルト固定穴6に通してホルダー4から出た収束帯テーパー部1を収束する物が固定されるまで手で引き固定されたことを確認して手を離すことで収束完了となる。ホルダー部の材質は他の力による変形を受けない硬質の物が望まれる。
【産業上の利用可能性】
【０００８】
伸縮性素材にて収束するので柔軟性があり、収束されたものに与えるダメージが少ない、収束帯ベルト部とホルダーの穴の形状が自由である事から用途は広いと思われる。
【図面の簡単な説明】
【０００９】
【図１】収束帯とホルダー図
【符号の説明】
【００１０】
１  収束帯テーパー部
２  収束帯ベルト部
３  収束帯アンカー部
４  ホルダー本体
５  ホルダーアンカー部
６  ベルト固定穴
【図１】
0003124905.tif 000003
(57)【要約】【課題】構造が簡単でしかも壊れ難い本当の意味での美錠一体型の安価なバンドを提供する。【解決手段】一半バンド１ａの端部に形成した他半バンド１ｂ挿脱用の美錠孔２と、該美錠孔２の内周縁部であって一半バンド１ｂ端側から内側に向けて凹設した凹部５と、筒状の取付基部３ａの中央からつく棒３ｂが一体突出して成る美錠金具３と、該取付基部３ａを前記凹部５に嵌込み、美錠孔２の両側から取付基部３ａの筒孔３ｃにかけて嵌挿するスプリングピン６とを備える。【選択図】図１
0003124909.tif 000002
【実用新案登録請求の範囲】
【請求項１】
一半バンドの端部に形成された他半バンド挿脱用の美錠孔と、該美錠孔の内周縁部であって一半バンド端側から内側に向けて凹設された凹部と、筒状の取付基部の中央からつく棒が一体突出して成る美錠金具と、該取付基部を前記凹部に嵌込み、美錠孔の両側から取付基部の筒孔にかけて嵌挿されるスプリングピンとを備えたことを特徴とするバンド。
【考案の詳細な説明】
【技術分野】
【０００１】
本考案は、バンドと美錠を一体化したバンドに関するものである。
【背景技術】
【０００２】
従来、ウレタンにて形成する一半のバンドの端部に他半のバンドを挿脱するための美錠孔を有する美錠部を一体形成し、該美錠部の美錠孔を囲む裏側の部分に凹部を設けて、つく棒を有するメタル製または強化ブラスチック製の美錠金具を外視されないように嵌込み取り付けする技術が存在する。
【特許文献１】実用新案登録第３０６８０７１号公報
【考案の開示】
【考案が解決しようとする課題】
【０００３】
しかしながら、従来においては、美錠部の美錠孔を囲む裏側の部分に凹部を設け、つく棒を有する美錠金具をこの凹部に嵌込み取り付けるものであるため、美錠部の表側のみでバンドと一体となったものとなり、本当の意味で美錠一体型のバンドとはいえないものである。また、従来では、美錠部をバンド裏側の凹部に取り付けるため、構造が複雑なものとなり、したがって、コスト高となり且つ壊れ易いものとなる等の問題点を有していた。
【０００４】
そこで、本考案は、叙上のような従来存した諸事情に鑑み案出されたもので、構造が簡単で、しかも壊れ難い本当の意味での美錠一体型の安価なバンドを提供することを目的とする。
【課題を解決するための手段】
【０００５】
上述した課題を解決するため、本考案にあっては、一半バンドの端部に形成された他半バンド挿脱用の美錠孔と、該美錠孔の内周縁部であって一半バンド端側から内側に向けて凹設された凹部と、筒状の取付基部の中央からつく棒が一体突出して成る美錠金具と、該取付基部を前記凹部に嵌込み、美錠孔の両側から取付基部の筒孔にかけて嵌挿されるスプリングピンとを備えたことを特徴とする。
【考案の効果】
【０００６】
本考案によれば、構造が簡単で、しかも壊れ難い本当の意味での美錠一体型の安価なバンドを提供することができる。すなわち、従来は、表面のみバンドと美錠とが一体となっているが、本考案では、表・裏面ともバンドと美錠とが一体となっており、外視されないという効果を有する。
【考案を実施するための最良の形態】
【０００７】
以下、図面を参照して本考案を実施するための最良の一形態を説明する。
図において示される符号１は、例えば、コイン型ＩＣチップもしくはガラス管ＩＣチップ等を内装したＩＣタグホルダーＰ（図１参照）に取り付けられたバンド本体である。
尚、バンド本体１をＩＣタグホルダーＰに使用する替わりに、時計ケース（図示せず）やその他のアクセサリーケース等に使用しても良い。
【０００８】
バンド本体１は、図１に示すように、一半バンド１ａと、他半バンド１ｂとから成り、共に例えば硬度９５°の弾力性を有するウレタン樹脂等にて形成されている。そして、一半バンド１ａの端部に他半バンド１ｂを挿脱するための美錠孔２を形成し、他半バンド１ｂには、美錠孔２に取り付けられたつく棒３ｂが刺し止めされる複数の止孔４が長手方向に沿って等間隔に並設されている。また、美錠孔２の内周縁部であって一半バンド１ａ端側から内側に向けて、略矩形状の凹部５が凹設される。
【０００９】
組み付けに際し、図２に示すように、筒状の取付基部３ａの中央からつく棒３ｂが一体突出して成る、例えばポリアセタール等の硬質合成樹脂製による美錠金具３の当該取付基部３ａを、前記した凹部５に嵌込み、長手方向にジグザグ状の割溝を有する、例えばステンレス製等のスプリングピン６を、美錠孔２の両側から凹部５にかけて貫通形成した挿通孔７に回動自在に挿通すると共に、凹部５に嵌込まれている取付基部３ａの筒孔３ｃとに嵌挿固定することで、美錠孔２に対しスプリングピン６と共に美錠金具３が回動自在に装着される。
【００１０】
次に、以上のように構成された最良の形態についての使用の一例について説明する。
ＩＣタグホルダーＰを挟んで連結するバンド本体１の他半バンド１ｂ端部を一半バンド１ａの美錠孔２に通してから、止孔４につく棒３ｂを差し込むことで締結固定される。また、止孔４からつく棒３ｂによる止めを解いて美錠孔２から他半バンド１ｂの端部を抜き外して解くのである。
【図面の簡単な説明】
【００１１】
【図１】本考案を実施するための最良の形態を示すもので、（ａ）は平面図、（ｂ）は側面図、（ｃ）は背面図、（ｄ）は（ａ）のＸ−Ｘ断面図である。
【図２】同じく美錠孔に美錠金具を取り付ける状態を示す一部切欠分解斜視図である。
【符号の説明】
【００１２】
Ｐ    ＩＣタグホルダー
１    バンド本体
１ａ  一半バンド
１ｂ  他半バンド
２    美錠孔
３    美錠金具
３ａ  取付基部
３ｂ  つく棒
３ｃ  筒孔
４    止孔
５    凹部
６    スプリングピン
７    挿通孔
【図１】
0003124909.tif 000003
【図２】
0003124909.tif 000004
(57)【要約】      （修正有）【課題】堆肥撒布機に大型自走式撒布機や、ロータリーバルブとブロアーを搭載した作業性の向上と傾斜地、茶畑、果樹園等の植栽地や狭い畝上通路に均等に堆肥を撒布することを目的に開発された撒布装置を提供する。【解決手段】果樹園、茶畑等の傾斜地を農地改良する事無く堆肥撒布することを目的に低コスト且つ容易に撒布できる撒布装置。樹木と樹木の畝間の３０cmからで茶葉等を汚さず、吹付ける。【選択図】図１
0003124910.tif 000002
【実用新案登録請求の範囲】
【請求項１】
底部にスクリューコンベアーを有するホッパー１、ホッパー１の排出口の下方に接続する、バネコンベアー３、バネコンベアー３の先端に取付けた材料・エアー混合ジョイントに接続した、サクションホース５から成るコンパクト化した撒布装置。
【請求項２】
上記サクションホース5の先端部分に、吹付長ノズル8を取付け、材料排出口を地
上から３０cmから５０cm以内とする請求項１に記載の撒布装置。
【考案の詳細な説明】
【技術分野】
【０００１】
本考案は、主に傾斜地及び茶畑等畝の間に堆肥撒布するための撒布装置に関する
物である。
【背景技術】
【０００２】
有機性廃棄物は供給過剰にあり、堆肥化して農地に循環利用することが望まれているが、出来た堆肥を撒布するのに多大な労力を要し、年々高齢化している耕種農家の負担増になっている。このため化学肥料多用な農業に偏り、過剰な肥料が地下水を汚染している。以上の悪循環を断ち切る為に機能、低コストの堆肥撒布装置の技術開発。
【特許文献１】実開平8-3026088号公報
【考案の開示】
【考案が解決しようとする課題】
【０００３】
従来の堆肥撒布機は広大な比較的平坦な農地に堆肥を撒く大型自走式撒布機や、ロータリーバルブとブロアーを搭載した装置等がある。この考案は、作業性の向上と傾斜地、茶畑、果樹園等の植栽地や狭い畝上通路に均等に堆肥を撒布することを目的に開発された撒布装置である。
【０００４】
従来の吹付ホースは、耐圧ホース２０mで4０kgからなり細い畝上を這わせて撒布するには、効率が悪く、果樹木や茶木を傷つける危険性があった。又作業する人にとっては、重量の重さに加えて狭い場所での迅速な移動作業で身体への負担が大きかった。狭い畝間約３０cm程度の樹木を汚さず吹付けるには、至難の業だった。
この考案は、上記の事柄を解決する為の散布装置である。
【課題を解決するための手段】
【０００５】
（1） 果樹園、茶畑等の傾斜地を農地改良する事無く堆肥撒布することを目的に低コスト且つ容易に撒布できる堆肥撒布装置の提供を目的にする。
【０００６】
（2） 樹木と樹木の畝間の３０cmからで茶葉等を汚さず、確実に地上に吹付けることを目的とした手段。
【考案の効果】
【０００７】
本考案の堆肥撒布装置は、以下の利点があり、主に傾斜地、狭い道路、田畑果樹園、茶畑、ハウス内等に広く利用できる。
第一に、スクリューコンベアーとバネコンベアーを組み合わせることでタンク内容量が同じで材料投入口の高さが低くなり作業能率がよく製作コストが軽減される。
第二に、軽量のサクションホース（市販品）を使い、先端部に長ノズルを装着することで茶葉等を傷つけず、汚さず、確実に地上に吹付ける事により良品質な製品が出来る。
第三に堆肥撒布装置がコンパクトで軽量のため、地上に降ろして作業することも、小型トラックに搭載してもよく作業能率の安定を図り撒布作業員の労力の軽減が大幅に改善される。
【０００８】
農地を肥沃化するために、農家が必要としている作業の中に、現在植栽してある果樹園、茶畑等に追肥する手段は、化学肥料や、敷き藁等にたよるか、手作業で撒くしか方法がなかった。肥沃な農地にする為に必要な有機肥料は近年農家の高齢化で散布することが困難な状況にある。堆肥撒布が農家の労力の負担軽減と作業能率の安定を図り撒布作業員の労力の軽減が最大の課題である。
【０００９】
従来の、堆肥撒布機械は田んぼ等、平地若しくは大規模な農地に大型機械で撒布する方法が一般的であった。（特開2003-61410）
又、堆肥等の有機肥料撒布装置では、タンク排出口に落としブロアーで散布するのが一般的に知られている。また、排出口近くにロータリーバルブをつけて逆墳防止効果を期待した物もある。（実開平8-3026088号公報）
【考案を実施するための最良の形態】
【００１０】
本考案を実施するための最良の形態は、優良堆肥を畜産農家より、ばら積み若しくは1,〇〇〇リットルを袋詰めにし、ホッパー１に挿入、タンク底部にスクリューコンベアー２（市販品）を取付け、排出口に落としその下方にバネコンベアー3（軸なし）を取付け連結、各ギヤーモーター6を、各モーター用の発電機11で作動する。バネコンベアーの、先端部に材料・エアー混合ジョイント4を直方向に取付け、一方には軽量の50mmサクションホース5を繋ぎ他方のエアー接続口9には直径２０mmのエアーホースを接続、空気圧送により遠距離（100ｍから150ｍ）の堆肥撒布が可能になる。また、スクリュウコンベアーとバネコンベアーを接続することにより、材料投入口（ホッパー1）の高さが１４０cm以下になり、材料投入後の作業も梯子等の使用が入らなく作業効率が大幅に軽減できる。狭い農道しかない茶畑等でも撒布可能になり、農地改良することが無く、耕種農家の財政軽減に繋がる。
【００１１】
本考案は、茶畑の狭い畝（３０cmから５０cm以内）に茶葉を傷付けたり、直接堆肥がかかることにより、品質の低下や成長を妨げる原因になることを、避けるためサクションホース5の材料出口に30cmから80cm内の長ノズル8を取付け、地面により近くまで材料を近づけて吹くことにより、上記の問題を解決できる。    
【図面の簡単な説明】
【００１２】
【図１】堆肥撒布装置の構成を示す側面図である。
【図２】堆肥撒布装置のホッパー部の側面図である。ホッパーまでの高さを１４０ｃｍ程度とした。
【図３】堆肥撒布装置の材料とエアーの押出し用混合ジョイントの側面図である
【図４】堆肥撒布装置に付随する空気圧縮機と発電機の側面図である。
【図５】堆肥撒布装置を搭載した側面図である。
【図６】堆肥撒布装置における散布手段の作業の様子を示す説明図である。
【符号の説明】
【００１３】
ホッパー
スクリュウコンベアー
バネコンベアー
材料・エアー混合ジョイント
サクションホース
ギヤーモーター
エアーホース
長ノズル
エアー接続口
空気圧縮機
発電機
【図１】
0003124910.tif 000003
【図２】
0003124910.tif 000004
【図３】
0003124910.tif 000005
【図４】
0003124910.tif 000006
【図５】
0003124910.tif 000007
【図６】
0003124910.tif 000008
(57)【要約】      （修正有）【課題】ねじ頭の無い固定されたビスで固定された製品を取り外す時、破損を解消するビス破断具の提供。【解決手段】ねじ頭の無い固定されたビスを破断するための、外縁の一部が、略、くの字に切り欠かれて形成されたガイド部と、破断する為の刃部と、破断後器具を取りぬく為の穴を備えたビス破断具により、純正製品が破損される事が無く、且つ構造が変化して製品の性能低下にならない為、安全に流通する事が可能になる。【選択図】図２
0003124989.tif 000002
【実用新案登録請求の範囲】
【請求項１】
ビスを破断する為のビス破断具であって、金属からなる板状の本体部と、
前記本体部の外縁の一部が、略、くの字に切り欠かれていて形成された、ビス破断用の刃部を備えることを特徴とする、ビス破断具。
【請求項２】
前記本体部に、棒状工具挿入用の穴が設けられていることを特徴とする、ビス破断具。
【考案の詳細な説明】
【技術分野】
【０００１】  本考案は、製品に固定されたねじ頭の無いビスを破断する器具に関する。
【背景技術】
【０００２】  従来のねじ山の取れたビスを破断する方法は、既製品（ドリル等）を使用し、固定された製品を破損してペンチ等の作業スペースを確保後、ペンチ等を使用し取り外しを行っていた。
【考案の開示】
【考案が解決しようとする課題】
【０００３】  しかし、これでは、純正製品が破損され、且つ構造が変化して製品の性能低下につながり、製品の設置不認可にも発展します。
【課題を解決するための手段】
【０００４】  そこで、ねじ頭の無い固定されたビスを破断するための、外縁の一部が、略、くの字に切り欠かれて形成されたガイド部と、破断する為の刃部と、破断後器具を取りぬく為の穴を考案した（図１）。このビス破断具により、純正製品が破損される事が無く、
且つ構造が変化して製品の性能低下にならない為、安全に流通する事が可能になります。
【考案の効果】
【０００５】  よって、本考案のビス破断具により、ねじ頭の無いビスにより下地に固定された製品を取り外す時、ビスを破断するための外縁の一部が、略、くの字に切り欠かれて形成されたガイド部により、破断しようとする目的のビスに力点が移り、破断用の刃部でビスを破断して、純正製品が破損されることはなくなる。また、破断後器具を取りぬく為の穴を利用して、本考案の器具を取抜く事ができる。
【考案を実施するための最良の形態】
【０００６】  本考案に係るビス破断具１０は、金属からなる板状で長尺の形状であり、一方に刃部、他方に穴を備え、図２に示すように、製品Ｓと製品固定用下地Ｔを固定しているねじ頭の無いビスＢを、破断具の、略、くの字に切り欠かれて形成されたガイド部１の奥にガイドされ、力点を保持する。そして、破断用の刃部２で、ビスの破断を行う。破断後、製品Ｓと製品固定用下地Ｔ及び破断されたビスにはさまれたビス破断具１０を取り抜く為、棒状工具挿入用の穴３に棒を挿入して、器具を取り抜く。
【図面の簡単な説明】
【０００７】
【図１】  本考案に係るビス破断具１０を、製品Ｓと製品固定用下地Ｔを固定しているねじ頭の無いビスＢを略、くの字に切り欠かれていて形成された、ガイド部１にてガイドされ、力点を保持し、ビス破断用の刃部２で、ビスの破断を行う状態の上面図である。
【図２】  本考案に係るビス破断具１０を、製品Ｓと製品固定用下地Ｔを固定しているねじ頭の無いビスＢを略、くの字に切り欠かれていて形成された、ガイド部１にてガイドされ、力点を保持し、ビス破断用の刃部２で、ビスの破断を行う状態の側面図である。
【符号の説明】
【０００８】    １    略、くの字に切り欠かれていて形成された、ガイド部
２    ビス破断用の刃部
３    棒状工具挿入用の穴
１０  ビス破断具
Ｂ    ねじ頭の無いビス
Ｓ    ビスが食いついている製品
Ｔ    製品固定用下地
【図１】
0003124989.tif 000003
【図２】
0003124989.tif 000004
(57)【要約】【課題】    ピ−マンを輪切りで料理する場合、輪切りの前にピ−マンの種の芯を取り出す必要があるが、包丁で種の芯を取り出そうとする場合十分注意しないと、包丁がピ−マン本体に触れ割れ目をつけることになり、きれいな輪切りのピ−マンができなくなるという難点を解消するために、種の芯をより早く、楽に取り出すことができる器具を提供する。【解決手段】    鋏１の先端の片側に２本の刃２、もう片方に１本の刃２を取付け、ピ−マン３のへた部を切り落とした断面の３つの隙間４に、鋏１の３本の刃２を挿入し、ピ−マン３を回転させ、鋏１の刃２によりピ−マン３の本体と種の芯５を切り離し、鋏１を閉じることにより３本の刃２で種の芯５を掴み、ピ−マン３から種の芯５を取り出すことにより、種の芯５の取り出し作業をより早く、楽にする。【選択図】図１
0003124981.tif 000002
【実用新案登録請求の範囲】
【請求項１】
鋏の先端の片側に２本の刃、もう片方に１本の刃を取付け、ピ−マンのへた部を切り落とした断面の３つの隙間に、鋏の３本の刃を挿入し、ピ−マンを回転させ、鋏の刃によりピ−マンの本体と種の芯を切り離し、鋏を閉じることにより、３本の刃で種の芯を掴み、ピ−マンから種の芯を取り出すことを特徴とした鋏。
【考案の詳細な説明】
【技術分野】
【０００１】  本考案は、ピ−マンを輪切りで料理する場合、輪切りの前にピ−マンの種の芯を取り出す必要があるが、ピ−マン本体に割れ目をつけずに種の芯を取り出す苦労を軽減するために、鋏の先端の片側に２本の刃、もう片方に１本の刃を取付け、ピ−マンのへた部を切り落とした断面の３つの隙間に、鋏の３本の刃を挿入し、ピ−マンを回転させ、鋏の刃によりピ−マンの本体と種の芯を切り離し、鋏を閉じることにより３本の刃で種の芯を掴んでピ−マンから種の芯を取り出すことにより、種の芯の取り出し作業をより早く、楽にしたものである。
【背景技術】
【０００２】  ピ−マンの種の芯をとる器具は市販されているものはなく、また特許申請されているものは、固定形の円筒形でピ−マンから一気に種の芯を取る器具であり、一定の大きさ以下の種の芯しか取り出せず、また複雑で力がいると考えられ、本器具のように刃が広がることによりピ−マンの大小に係わらず、容易に種の芯を取り出す器具はなかった。
【考案の開示】
【考案が解決しようとする課題】
【０００３】  本考案は、ピ−マンを輪切りで料理する場合、輪切りの前にピ−マンの種の芯を取り出す必要があるが、包丁で種の芯を取り出そうとする場合十分注意しないと、包丁がピ−マン本体に触れ、割れ目をつけることになり、きれいな輪切りのピ−マンができなくなるという難点があったが、本考案は、この課題を解消するためになされたものである。
【課題を解決するための手段】
【０００４】  鋏の先端の片側に２本の刃、もう片方に１本の刃を取付け、ピ−マンのへた部を切り落とした断面の３つの隙間に、鋏の３本の刃を挿入し、ピ−マンを回転させ、鋏の刃によりピ−マンの本体と種の芯を切り離し、鋏を閉じることにより３本の刃で種の芯を掴み、ピ−マンから種の芯部を取り出すことにより、種の芯の取り出し作業をより早く、楽にした。
【考案の効果】
【０００５】  ピ−マンの輪切りの際に必要な種の芯取り作業がより早く、楽になる。
【実施例１】
【０００６】  図１のように、ピ−マン３のへた部を切り落とした断面の３つの隙間４に、鋏１の３本の刃２を挿入し、ピ−マン３を回転させ、鋏の刃２によりピ−マン３の本体と種の芯５を切り離し、鋏１を閉じることにより、３本の刃２で種の芯４を掴み、ピ−マンから種の芯４を取り出すことができるように、鋏１の先端の片側に２本の刃２、もう片方に１本の刃２を取付ける。
【図面の簡単な説明】
【０００７】
【図１】  本考案の実施例１の外観図
【符号の説明】
【０００８】      １  鋏
２  刃
３  ピ−マン
４  隙間
５  種の芯
【図１】
0003124981.tif 000003